(57)【要約】【課題】部材中の縄体を容易に取り付けることが可能である窓扉のスラットを自動的に閉める装置を提供する。【解決手段】窓扉のスラットを自動的に閉める装置は、一つの窓扉と相対物の間に設けられており、従動ユニット、連動装置、および、複数の回転部材を備える。窓扉は、外枠１０１、２０１および外枠１０１、２０１の中に平行配列されており反転可能な複数のスラット１０２、２０２を有する。回転部材は、スラット１０２、２０２の一端に設けられている。従動ユニットは、移動可能に外枠１０１、２０１の中に設けられており、回転部材に結合されている第一連動部材２４を有する。連動装置は、回転部材および第一連動部材２４を相対移動させる。従動ユニットは、第一連動部材２４を連動させかつ第一連動部材２４を直線方向に移動させる第二連動部材を有する。連動装置は、縄体を有する。【選択図】図３
0003202136.tif 000002
【実用新案登録請求の範囲】
【請求項１】
一つの窓扉と相対物の間に設けられており、窓扉のスラットを自動的に閉める装置であって、
前記窓扉は、前記相対物に対して揺動可能であり、外枠および前記外枠の中に平行配列されており反転可能な複数のスラットを有し、
従動ユニット、連動装置、および、複数の回転部材を備え、
前記回転部材は、前記スラットの一端に設けられており、
前記従動ユニットは、移動可能に前記外枠の中に設けられており、前記回転部材に結合されている第一連動部材を有し、
前記連動装置は、前記従動ユニットを連動させ移動させ、前記回転部材および前記第一連動部材を相対移動させ、
前記従動ユニットは、前記第一連動部材を連動させかつ前記第一連動部材を直線方向に移動させる第二連動部材を有し、
前記連動装置は、縄体を有し、
前記縄体は、第一係止部、第二係止部、および縄部を有し、前記縄部が前記第一係止部と前記第二係止部の間に位置し、前記第一係止部が前記第二連動部材に連結されており、前記第二係止部が前記相対物に連結されていることを特徴とする窓扉のスラットを自動的に閉める装置。
【請求項２】
前記第二連動部材は、線溝を有し、
前記線溝は、前記第一係止部に隣接する前記縄部の一部を収容し、前記第一係止部が前記第二連動部材に当接するよう、前記第一係止部を案内することを特徴とする請求項１に記載の窓扉のスラットを自動的に閉める装置。
【請求項３】
前記外枠の中に固定されている直線歯車を備え、
前記従動ユニットは、歯車および移動ブロックを有し、前記歯車が回転可能に前記移動ブロックに設置されており前記直線歯車と噛み合っており、
前記第二連動部材は、前記歯車と噛み合う平面歯車を有し、前記直線歯車の横に位置しており、前記縄体に引っ張られ前記移動ブロックを連動させ前記第一連動部材を移動させることを特徴とする請求項１に記載の窓扉のスラットを自動的に閉める装置。
【請求項４】
前記従動ユニットは、従動ブロックを有し、
前記従動ブロックは、前記第一連動部材の歯面と噛み合う小型直線歯車を有し、
前記回転部材は、前記第一連動部材の歯面と噛み合う歯車を有し、前記第一連動部材に駆動され相対移動可能であることを特徴とする請求項３に記載の窓扉のスラットを自動的に閉める装置。
【請求項５】
前記従動ユニットの前記第一連動部材は長棒であり、
前記回転部材は前記第一連動部材に貫設されている回転軸を有することを特徴とする請求項３に記載の窓扉のスラットを自動的に閉める装置。
【請求項６】
前記従動ユニットは従動ブロックを有し、
前記第一連動部材は結合孔を有し、
前記従動ブロックは凸棒を有し、
前記凸棒は、前記結合孔に挿入されており、前記第一連動部材と前記従動ブロックをともに連動させることを特徴とする請求項５に記載の窓扉のスラットを自動的に閉める装置。
【請求項７】
前記従動ブロックは第一凸部を有し、
前記移動ブロックは、前記第一凸部の底面に当接している第二凸部を有し、前記従動ブロックを上方向に移動させることが可能であり、
前記第一連動部材は、前記従動ブロックと連動しており、上方向に移動可能であることを特徴とする請求項４または６に記載の窓扉のスラットを自動的に閉める装置。
【請求項８】
位置決め座、および、調整ユニットを備え、
前記位置決め座は、前記相対物に固定されており、貫通孔を有し、
前記調整ユニットは、前記位置決め座に移動可能に設置されておりネジ孔を有する可動ブロック、および、ねじ軸を有し、前記ねじ軸が回転可能に前記貫通孔を貫通し前記可動ブロックの前記ネジ孔にロックされており、前記可動ブロックが前記ねじ軸に沿って前記位置決め座で移動可能であることを特徴とする請求項７に記載の窓扉のスラットを自動的に閉める装置。
【請求項９】
一つの窓扉と相対物の間に設けられており、窓扉のスラットを自動的に閉める装置であって、
前記窓扉は、前記相対物に対して揺動可能であり、外枠および前記外枠の中に平行配列されており反転可能な複数のスラットを有し、
従動ユニット、連動装置、複数の回転部材、および、前記外枠の中に固定されている直線歯車を備え、
前記回転部材は、前記スラットの一端に設けられており、
前記従動ユニットは、移動可能に前記外枠の中に設けられており、前記回転部材に結合されている第一連動部材を有し、
前記連動装置は、前記従動ユニットを連動させ移動させ、前記回転部材および前記第一連動部材を相対移動させ、
前記従動ユニットは、歯車、移動ブロック、および第二連動部材を有し、前記歯車が回転可能に前記移動ブロックに設置されており前記直線歯車と噛み合っており、
前記第二連動部材は、前記歯車と噛み合う平面歯車を有し、前記直線歯車の横に位置しており、制御されることにより、前記移動ブロックを連動させ前記第一連動部材を直線方向に移動させることを特徴とする窓扉のスラットを自動的に閉める装置。
【請求項１０】
前記従動ユニットは、従動ブロックをさらに有し、
前記従動ブロックは、前記第一連動部材の歯面と噛み合う小型直線歯車、および、第一凸部を有し、
前記回転部材は、前記第一連動部材の歯面と噛み合う歯車を有し、
前記移動ブロックは、前記第一凸部の底面に当接している第二凸部を有し、前記従動ブロックを上方向に移動させることが可能であり、
前記第一連動部材は、前記従動ブロックと連動しており、上方向に移動可能であることを特徴とする請求項９に記載の窓扉のスラットを自動的に閉める装置。
【請求項１１】
前記従動ユニットは、従動ブロックを有し、
前記従動ユニットの前記第一連動部材は長棒であり、
前記回転部材は前記第一連動部材に貫設されている回転軸を有し、
前記従動ブロックは第一凸部を有し、
前記移動ブロックは、前記第一凸部の底面に当接している第二凸部を有し、前記従動ブロックを上方向に移動させることが可能であり、
前記第一連動部材は、前記従動ブロックと連動しており、上方向に移動可能であることを特徴とする請求項９に記載の窓扉のスラットを自動的に閉める装置。
【請求項１２】
前記第一連動部材は結合孔を有し、
前記従動ブロックは凸棒を有し、
前記凸棒は、前記結合孔に挿入されており、前記第一連動部材と前記従動ブロックをともに連動させることを特徴とする請求項１１に記載の窓扉のスラットを自動的に閉める装置。
【請求項１３】
前記連動装置は、縄体を有し、
前記縄体は、第一係止部、第二係止部、および縄部を有し、前記縄部が前記第一係止部と前記第二係止部の間に位置し、前記第一係止部が前記第二連動部材に連結されており、前記第二係止部が前記相対物に連結されていることを特徴とする請求項１０または１１に記載の窓扉のスラットを自動的に閉める装置。
【請求項１４】
位置決め座、および、調整ユニットをさらに備え、
前記位置決め座は、前記相対物に固定されており、貫通孔を有し、
前記調整ユニットは、前記位置決め座に移動可能に設置されておりネジ孔を有する可動ブロック、および、ねじ軸を有し、前記ねじ軸が回転可能に前記貫通孔を貫通し前記ネジ孔にロックされており、前記可動ブロックが前記ねじ軸に沿って前記位置決め座で移動可能であることを特徴とする請求項１３に記載の窓扉のスラットを自動的に閉める装置。
【請求項１５】
前記第二連動部材は、線溝を有し、
前記線溝は、前記第一係止部に隣接する前記縄部の一部を収容し、前記第一係止部が前記第二連動部材に当接するよう、前記第一係止部を案内することを特徴とする請求項１３に記載の窓扉のスラットを自動的に閉める装置。
【請求項１６】
一つの窓扉と相対物の間に設けられており、窓扉のスラットを自動的に閉める装置であって、
前記窓扉は、前記相対物に対して揺動可能であり、外枠および前記外枠の中に平行配列されており反転可能な複数のスラットを有し、
従動ユニット、連動装置、複数の回転部材、位置決め座、および、調整ユニットを備え、
前記回転部材は、前記スラットの一端に設けられており、
前記従動ユニットは、移動可能に前記外枠の中に設けられており、前記回転部材に結合されている第一連動部材を有し、
前記連動装置は、前記従動ユニットを連動させ移動させ、前記回転部材および前記第一連動部材を相対移動させ、
前記位置決め座は、前記相対物に固定されており、線孔を有し、
前記調整ユニットは、前記位置決め座に移動可能に設置されている可動ブロックを有し、
前記連動装置は、前記線孔を貫通する縄体を有し、
前記縄体は、第一係止部、第二係止部、および縄部を有し、前記縄部が前記第一係止部と前記第二係止部の間に位置し、前記第一係止部が前記従動ユニットに連結されており、前記第二係止部が前記可動ブロックに連結されていることを特徴とする窓扉のスラットを自動的に閉める装置。
【請求項１７】
前記位置決め座は貫通孔を有し、
前記調整ユニットは、前記可動ブロックにネジ孔が形成されており、ねじ軸を有し、前記ねじ軸が回転可能に前記貫通孔を貫通し前記可動ブロックの前記ネジ孔にロックされていることを特徴とする請求項１６に記載の窓扉のスラットを自動的に閉める装置。
【請求項１８】
前記従動ユニットは、前記第一連動部材を連動させかつ前記第一連動部材を直線方向に移動させる第二連動部材を有することを特徴とする請求項１６に記載の窓扉のスラットを自動的に閉める装置。
【請求項１９】
前記第二連動部材は、線溝を有し、
前記線溝は、前記第一係止部に隣接する前記縄部の一部を収容し、前記第一係止部が前記第二連動部材に当接するよう、前記第一係止部を案内することを特徴とする請求項１８に記載の窓扉のスラットを自動的に閉める装置。
【請求項２０】
前記外枠の中に固定されている直線歯車をさらに備え、
前記従動ユニットは、歯車および移動ブロックを有し、前記歯車が回転可能に前記移動ブロックに設置されており前記直線歯車と噛み合っており、
前記第二連動部材は、前記歯車と噛み合う平面歯車を有し、前記直線歯車の横に位置しており、前記縄体に引っ張られ前記移動ブロックを連動させ前記第一連動部材を移動させることを特徴とする請求項１８に記載の窓扉のスラットを自動的に閉める装置。
【請求項２１】
前記従動ユニットは、従動ブロックを有し、
前記従動ブロックは、前記第一連動部材の歯面と噛み合う小型直線歯車、および、第一凸部を有し、
前記回転部材は、前記第一連動部材の歯面と噛み合う歯車を有し、
前記移動ブロックは、前記第一凸部の底面に当接している第二凸部を有し、前記従動ブロックを上方向に移動させることが可能であり、
前記第一連動部材は、前記従動ブロックと連動しており、上方向に移動可能であることを特徴とする請求項２０に記載の窓扉のスラットを自動的に閉める装置。
【請求項２２】
前記従動ユニットは、従動ブロックを有し、
前記従動ユニットの前記第一連動部材は長棒であり、
前記回転部材は前記第一連動部材に貫設されている回転軸を有し、
前記従動ブロックは第一凸部を有し、
前記移動ブロックは、前記第一凸部の底面に当接している第二凸部を有し、前記従動ブロックを上方向に移動させることが可能であり、
前記第一連動部材は、前記従動ブロックと連動しており、上方向に移動可能であることを特徴とする請求項２０に記載の窓扉のスラットを自動的に閉める装置。
【請求項２３】
前記第一連動部材は結合孔を有し、
前記従動ブロックは凸棒を有し、
前記凸棒は、前記結合孔に挿入されており、前記第一連動部材と前記従動ブロックをともに連動させることを特徴とする請求項２２に記載の窓扉のスラットを自動的に閉める装置。
【考案の詳細な説明】
【技術分野】
【０００１】
本考案は、窓扉に関し、特に窓扉のスラットを自動的に閉める装置に関する。
【背景技術】
【０００２】
通常の窓扉は外枠と複数のスラットから構成されている。スラットは、外枠により囲まれている空間内に平行に設けられている。複数のスラットは回転可能に外枠に設けられており反転可能である。スラットの角度を水平から鉛直まで調整することにより、室内に入る光の量および空気の量を変えることができる。
【０００３】
室内に入る光の量および空気の量を高めるために、部分的な窓扉の構造は、窓扉を建物の窓枠に回転可能に接続する形で作られている。窓扉を開くことにより、建物の窓枠が完全に空いている状態にし、空気および光が入るようにする。しかし、前述の活動式の窓扉を開くとき、使用者が水平方向のスラットを鉛直方向に調整することを忘れたので、窓扉が建物の壁に近づく時、または、二つの窓扉が互いに近づくとき、スラットの縁部が壁に当たり損害する恐れがある。よって、活動式の窓を改善することが期待されている。
【考案の概要】
【考案が解決しようとする課題】
【０００４】
本考案の目的は、自動的に窓扉のスラットを閉じることが可能であり、部材中の縄体を容易に取り付けることができ、縄体の緩み具合を調整することが可能である窓扉のスラットを自動的に閉める装置を提供する。
【課題を解決するための手段】
【０００５】
上述の目的を達成するために、本考案による窓扉のスラットを自動的に閉める装置は、一つの窓扉と相対物の間に設けられており、従動ユニット、連動装置、および、複数の回転部材を備える。窓扉は、相対物に対して揺動可能であり、外枠および外枠の中に平行配列されており反転可能な複数のスラットを有する。回転部材は、スラットの一端に設けられている。従動ユニットは、移動可能に外枠の中に設けられており、回転部材に結合されている第一連動部材を有する。連動装置は、従動ユニットを連動させ移動させ、回転部材および第一連動部材を相対移動させる。従動ユニットは、第一連動部材を連動させかつ第一連動部材を直線方向に移動させる第二連動部材を有する。連動装置は、縄体を有する。縄体は、第一係止部、第二係止部、および縄部を有し、縄部が第一係止部と第二係止部の間に位置し、第一係止部が第二連動部材に連結されており、第二係止部が相対物に連結されている。
【０００６】
また、本考案による窓扉のスラットを自動的に閉める装置は、一つの窓扉と相対物の間に設けられており、従動ユニット、連動装置、複数の回転部材、および、外枠の中に固定されている直線歯車を備える。窓扉は、相対物に対して揺動可能であり、外枠および外枠の中に平行配列されており反転可能な複数のスラットを有する。回転部材は、スラットの一端に設けられている。従動ユニットは、移動可能に外枠の中に設けられており、回転部材に結合されている第一連動部材を有する。連動装置は、従動ユニットを連動させ移動させ、回転部材および第一連動部材を相対移動させる。従動ユニットは、歯車、移動ブロック、および第二連動部材を有し、歯車が回転可能に移動ブロックに設置されており直線歯車と噛み合っている。第二連動部材は、歯車と噛み合う平面歯車を有し、直線歯車の横に位置しており、制御されることにより、移動ブロックを連動させ第一連動部材を直線方向に移動させる。
【０００７】
また、本考案による窓扉のスラットを自動的に閉める装置は、一つの窓扉と相対物の間に設けられており、従動ユニット、連動装置、複数の回転部材、位置決め座、および、調整ユニットを備える。窓扉は、相対物に対して揺動可能であり、外枠および外枠の中に平行配列されており反転可能な複数のスラットを有する。回転部材は、スラットの一端に設けられている。従動ユニットは、移動可能に外枠の中に設けられており、回転部材に結合されている第一連動部材を有する。連動装置は、従動ユニットを連動させ移動させ、回転部材および第一連動部材を相対移動させる。位置決め座は、相対物に固定されており、線孔を有する。調整ユニットは、位置決め座に移動可能に設置されている可動ブロックを有する。連動装置は、線孔を貫通する縄体を有する。縄体は、第一係止部、第二係止部、および縄部を有し、縄部が第一係止部と第二係止部の間に位置し、第一係止部が従動ユニットに連結されており、第二係止部が可動ブロックに連結されている。
【０００８】
本考案の効果は、縄体の取り付けが簡単且つ容易であり、歯車の外部に結合されている移動ブロックの移動距離が、第二連動部材が縄体に引っ張られ上方向に移動する距離より小さくなるようにし、スラットの閉じ過ぎを抑制し、縄体の緩み具合を調整可能にする。
【図面の簡単な説明】
【０００９】
【図１】建物の開口を遮蔽する構造が有する二つの窓扉を示す斜視図である。
【図２】建物の開口を遮蔽する構造の二つの窓扉が折畳まれ近づいている状態を示す斜視図である。
【図３】本考案の一実施形態による窓扉のスラットを自動的に閉める装置と上述の二つの窓扉の位置関係を示す斜視図である。
【図４】本考案の一実施形態による窓扉のスラットを自動的に閉める装置を示す斜視図である。
【図５】本考案の一実施形態による窓扉のスラットを自動的に閉める装置の部分的な部材を示す斜視図である。
【図６】本考案の一実施形態による窓扉のスラットを自動的に閉める装置の位置決め座および調整ユニットを示す斜視図である。
【図７】本考案の一実施形態による窓扉のスラットを自動的に閉める装置の位置決め座および従動ブロックを示す斜視図である。
【図８】本考案の一実施形態による窓扉のスラットを自動的に閉める装置の基座の内部を示す断面図である。
【図９】本考案の一実施形態による窓扉のスラットを自動的に閉める装置の従動ユニットが基座の底部に位置する状態を示す模式図である。
【図１０】本考案の一実施形態による窓扉のスラットを自動的に閉める装置の従動ユニットが上方向に移動する状態をしめす模式図である。
【図１１】本考案の一実施形態による窓扉のスラットを自動的に閉める装置の従動ユニットが上方向に移動し基座の頂部に接近する状態を示す模式図である。
【図１２】本考案の一実施形態による窓扉のスラットを自動的に閉める装置の調整ユニットの活動ブロックとねじ軸を示す模式図である。
【図１３】本考案の他の実施形態による窓扉のスラットを自動的に閉める装置の部分的な部材を示す斜視図である。
【図１４】本考案の他の実施形態による窓扉のスラットを自動的に閉める装置の従動ユニットが上方向に移動する状態を示す模式図である。
【考案を実施するための形態】
【００１０】
（一実施形態）
本考案を明確に説明するために、一実施形態を挙げ、図面に基づいて詳細に説明する。図１と図２に示すように、建物の開口部の遮蔽構造は、窓枠３００中に装着された一つの第一窓扉１００と一つの第二窓扉２００を含む。そのうち、第一窓扉１００は、一方の側が窓枠３００に回転可能に接続されており、他方の側が第二窓扉２００と回転可能に接続されている。よって、第一窓扉１００と第二窓扉２００は、展開する時に建物の開口部を遮蔽することができ、折り畳む時に建物の開口部を開くことができる。第一窓扉１００と第二窓扉２００は、構造が同じであり、いずれも一つの外枠１０１（２０１）と複数のスラット１０２（２０２）を含む。スラット１０２（２０２）は、外枠１０１（２０１）の中に平行に配列されており、かつ反転することで遮蔽効果を変えることができる。
【００１１】
本考案の一実施形態による窓扉のスラットを自動的に閉める装置は、二セットを含み、かつ上記第一窓扉１００と第二窓扉２００との間に装着されている。そのうち、一方の窓扉のスラットを自動的に閉める装置は、第一窓扉１００のスラット１０２の自動閉合を制御することに用いられる。他方の窓扉のスラットを自動的に閉める装置は、第二窓扉２００のスラット２０２の自動閉合を制御することに用いられる。説明の便宜のために、そのうち一セットの窓扉のスラットを自動的に閉める装置が第一窓扉１００に応用されていることを例にする。この場合、第二窓扉２００は、第一窓扉１００の相対物と見なされる。
【００１２】
図３〜図８に示すように、本実施形態による窓扉のスラットを自動的に閉める装置は、一つのベース１０、一つの側蓋１２、一つの位置決め座１４、一つの調整ユニット、複数の回転部材２２、一つの従動ユニット、及び一つの連動装置を含む。
【００１３】
ベース１０は、第一窓扉１００の外枠１０１の側面からその中に嵌め込まれ、固定かつ接続されている。ベース１０は、一方の側に一つの縦方向のガイド溝１０ａを有し、他方の側に側面から凹入して形成した一つの長溝孔１０ｂを有する。ガイド溝１０ａは、長溝孔１０ｂと繋がっている。一つの縦方向の線状歯車１０ｃは、長溝孔１０ｂの溝底部に設置されている。線状歯車１０ｃは、移動不能に固定されている。また、凹入した縦方向の直線レール１０ｄは、各々長溝孔１０ｂの両側の溝壁に設置されている。側蓋１２は、ベース１０に固定かつ接続し長溝孔１０ｂを密閉する。側蓋１２は、一つの線孔１２ａを有する。一つの転向輪１２ｂと一つの転向ブロック１３は、側蓋１２の内側に設置されている。もう一つの転向輪１３ａは、転向ブロック１３内に設置されている。
【００１４】
位置決め座１４は、第二窓扉２００の外枠２０１の側面からその中に嵌め込まれ固定かつ接続されている。位置決め座１４は、一つの貫通孔（図に示されていない）と一つの線孔１４ａを有し、裏面に一つのレール１４ｂが外へ延伸する。調整ユニットは、一つの可動ブロック１６、一つのねじ軸１８と一つＣ形バックル２０を含む。そのうち、可動ブロック１６は、移動可能に位置決め座１４のレール１４ｂ中に設置されている。可動ブロック１６は、一つのネジ穴１６ａと一つの位置決め孔１６ｂを有する。ねじ軸１８は、位置決め座１４の貫通孔を貫通し、可動ブロック１６のネジ穴１６ａ中にロックされている。ねじ軸１８の胴体は、一つの環状のバックル溝１８ａを有する。バックル溝１８ａは、ねじ軸１８が元の位置で回転するようにＣ形バックル２０に結合されている。言い換えると、工具（例えばドライバー）で正方向あるいは逆方向にねじ軸１８を駆動する時、ねじ軸１８に沿って位置決め座１４のレール１４ｂ中で可動ブロック１６を前又は後に移動させる。
【００１５】
回転部材２２は、歯車であり、かつ各々対応するスラット１０２の片側に設置されている。従動ユニットは、移動可能に外枠１０１中に設置されており、かつ一つの第一連動部材２４、一つの従動ブロック２６、一つの歯車２８、一つの移動ブロック３０、一つの第二連動部材３２と一つの弾性部材３４を含む。第一連動部材２４はベース１０の外側に設置されている。従動ブロック２６は移動可能にベース１０のガイド溝１０ａに結合する。歯車２８、移動ブロック３０、第二連動部材３２、および弾性部材３４は、ともにベース１０の長溝孔１０ｂの中に収納されている。
【００１６】
図３に示すように、第一連動部材２４は、一つの線状歯車であり、その歯面と対向する位置にもう一つの線状歯車３６が固定されている。第一連動部材２４は、線状歯車３６と平行に設置されている。回転部材２２は、同時に第一連動部材２４の歯面と線状歯車３６と噛み合う。つまり、第一連動部材２４を制御し上又は下に移動させさ、回転部材２２を駆動し同期回転させ、スラット１０２を連動させ反転させる。
【００１７】
従動ユニットの従動ブロック２６は、左側に一つの小型線状歯車２６ａを有する。小型線状歯車２６ａは、ベース１０の外へ伸び出し、かつ第一連動部材２４と線状歯車３６との間まで伸びる。小型線状歯車２６ａは、第一連動部材２４の歯面と噛み合う。従動ブロック２６の右側に一つの第一凸部２６ｂを有する。第一凸部２６ｂは、長溝孔１０ｂ中まで伸びる。歯車２８は、回転可能に移動ブロック３０の中に設置されている。歯車２８は、ベース１０の内部の線状歯車１０ｃと噛み合う。移動ブロック３０は、一つの第二凸部３０ａを有する。第二凸部３０ａは、第一凸部２６ｂの底面に当接する。第二連動部材３２は、主に平面歯車３２ｄで歯車２８と噛み合い、かつベース１０に対向する線状歯車１０ｃの他方の側に位置する。第二連動部材３２の両側壁面に各々一つの突起したガイドブロック３２ａを有する。各ガイドブロック３２ａは、ベース１０の直線レール１０ｄ中に嵌め込んでいる。第二連動部材３２は、一つの縦方向の線溝３２ｂをさらに有し、かつ底部に一つの凸縁３２ｃを有する。弾性部材３４は、一つのバネであり、かつ移動ブロック３０の頂部における一つの凸柱３０ｂに嵌め込まれている。弾性部材３４は、一端がベース１０の頂部の内壁に当接し、他端が移動ブロック３０の頂面に当接し、これによりその付勢力を移動ブロック３０に作用させる。付勢力は、移動ブロック３０を下に移動させることを保持する以外、線状歯車１０ｃ、歯車２８、および第二連動部材３２の間の噛合隙間の除去にも役立ち、線状歯車１０ｃ、歯車２８、および、第二連動部材３２の間の良好な接触関係を保持させる。
【００１８】
上述構造関係から分かるように、移動ブロック３０は、上に移動する時に上に従動ブロック２６を押し上げる。そのとき、従動ブロック２６は、第一連動部材２４を動かして一緒に上に移動することで回転部材２２を駆動する。移動ブロック３０が上に移動する原因は、第二連動部材３２が制御されベース１０の直線レール１０ｄに沿って上に移動し、かつ第二連動部材３２が歯車２８を駆動し固定した線状歯車１０ｃに沿って回転しながら上に移動させるということにある。言い換えると、第二連動部材３２は、歯車２８、移動ブロック３０、および、従動ブロック２６の間接的な伝動を通じて第一連動部材２４を動かして直線方向に沿って一緒に移動し、さらにスラット１０２を回転させるという目的を達成する。
【００１９】
連動装置は、従動ユニットを動かして移動させ、回転部材２２と第一連動部材２４を相対的に移動させることに用いられる。本実施形態において、連動装置は、一本の縄体３８を含む。縄体の両端は、各々結び目から構成された第一係止部３８ａと第二係止部３８ｂである。第一係止部３８ａと第二係止部３８ｂとの間は、一本の縄部３８ｃである。縄部３８ｃは、側蓋１２の線孔１２ａと位置決め座１４の線孔１４ａを通り、転向輪１２ｂと転向輪１３ａを回った後、一部分の縄部３８ｃがさらに可動ブロック１６の位置決め孔１６ｂ及び第二連動部材３２の線溝３２ｂ中に位置する。第一係止部３８ａは、第二連動部材３２の底面に当接しかつ線溝３２ｂに案内され凸縁３２ｃに当接する。これによって、縄体３８は、第二連動部材３２から脱離することができない。つまり、第一係止部３８ａは、安定的に従動ユニットを連結する。一方、第二係止部３８ｂは、脱離を防止するように可動ブロック１６の裏面に当接する。つまり、第二係止部３８ｂは、可動ブロック１６を通じて第二窓扉２００と連結する。
【００２０】
縄部３８ｃの長さが一定であるため、第一窓扉１００と第二窓扉２００は、左右並列して建物の開口部を遮蔽する。スラット１０２（２０２）が水平に配列する時、従動ユニットは、図９に示すようにベース１０の底部に位置する。使用者が建物の開口部を開こうとする過程において、第二連動部材３２は、縄体３８に引張られ上に移動する（図１０を参照する）。上述説明から分かるように、第二連動部材３２は、歯車２８、移動ブロック３０、および従動ブロック２６の間接的な伝動により、第一連動部材２４を動かし回転部材２２を駆動し回転させる。同時に、スラット１０２は、自動的に徐々に閉合する。従動ユニットが図１１に示すようなベース１０の先端に近い箇所まで移動すると、スラット１０２は、完全に閉合する。
【００２１】
本実施形態では窓扉のスラットを自動的に閉める装置を二セット含む。かつ二セットの窓扉のスラットを自動的に閉める装置の装着方式が反対するため、窓扉のスラットが開き窓扉の開き作動と共に自動的に水平方向から閉合状態の垂直方向に回転した後、第一窓扉１００と第二窓扉２００は、スラットが互いに衝突せずに、順調に折り畳んで前後に配列される。開き窓扉が壁面まで押されても、閉合後のスラットは、壁面に衝突せず損壊しなく、かつ人に不当な傷害を与えない。
【００２２】
上述の構成では、建物の開口部の遮蔽構造を二つの窓扉で例示した。しかしながら、実務上に単一の窓扉で建物の開口部を遮蔽する場合がある。単一の窓扉の場合は、一セットの窓扉のスラットを自動的に閉める装置だけを必要とする。つまり、位置決め座１４と調整ユニットを窓枠中に設置し、ベース１０、側蓋１２と従動ユニット等の部品を窓扉の外枠の中に嵌設すればよい。
【００２３】
上述の構成の中で、第二連動部材３２の線溝３２ｂが開放面を有する構造であるため、縄体３８を装着する時、縄部３８ｃを線溝３２ｂ中に容易に巻設することができる。同じ原理で、迅速に縄部３８ｃを巻設するために、可動ブロック１６の位置決め孔１６ｂを片側に開放面を有する構造に製作してもよい。縄体３８の両端の結び目を脱離防止構造とすると、組立て効率を向上させることができる。また、消費者が縄体３８を取り替える時、側蓋１２と位置決め座１４を取り除けば、迅速に取り替えることができ、便利な効果を有する。
【００２４】
組立て後の縄体３８に対して、再び締める又は緩める必要がある時、組立て者あるいは消費者は、工具でねじ軸１８を駆動し、縄体３８を結び合う可動ブロック１６を前後に移動し（図１２を参照する）、さらに縄体３８を緩めるあるいは締める。本実施形態において、ねじ軸１８の頭部の端面が一字型溝であるため、一字型のドライバーの挿入と駆動に用いられる。
【００２５】
線状歯車１０ｃが固定されているため、歯車２８が線状歯車１０ｃと噛み合い、第二連動部材３２が平面歯車で歯車２８と噛み合う。歯車２８は、回転しながら移動する時、第二連動部材３２を動かし共に移動する。第二連動部材３２は、同時に歯車２８に対して移動し出る。この巧妙な組合せ方式は、歯車２８の外部に結合した移動ブロック３０の移動距離を、縄体３８により上に引っ張られた第二連動部材３２の移動距離より小さくし、操作上において非常に省力となる。第二連動部材３２と移動ブロック３０の移動距離に対する正確な計算により、回転部材２２に過度な回転をもたらすことを避け、さらにスラットが閉合する時に過度に押圧されないことを確保する。
【００２６】
上述したように、本考案の窓扉のスラットを自動的に閉める装置は、縄体３８の装着（取替え）を容易かつ便利にさせるだけではなく、また縄体３８を弛緩程度の調節により実際の使用要求に一致させる。その線状歯車１０ｃ、歯車２８と第二連動部材３２は、巧妙な組合せを通じ、スラットが過度に閉合することで押圧されて損壊した場合を避けることができる。
【００２７】
（他の実施形態）
上述実施形態において、スラットを制御して転向させる方式は、スラットの片側に歯車（即ち回転部材２２）を固定し、また線状歯車（即ち第一連動部材２４）への駆動により噛合伝動方式で歯車を動かして回転させ、さらにスラットを駆動して転向させることである。実務上に、図１３と図１４に示すように、スラットを駆動して転向させる他の実施形態を選択してもよい。上述の実施形態と違うのは、以下のとおりである。他の実施形態が開示した第一連動部材は、歯面を備えない長棒体４０である。回転部材４４は、一つのブロック体であり、かつ長棒体４０に対応した一端に、長棒体４０を穿設する一つの枢軸４４ａが設置されている。回転部材４４は、一つの外接ブロック４６を通じて一つの対応したスラット１０２と連結する。特に、回転部材４４と外接ブロックは、長方形座繰り穴と長方形凸柱の方式で配合して分離性を有し、組立て時に連動性を有し、かつ外枠１０１に対して回転することができる。回転時に各回転部材の同期性がさらに良くなるため、実務上に、図１３、図１４に示すように、長棒体４０と平行しかつ同様に歯面を備えないもう一つの縦棒４２を設けてもよい。回転部材４４は、長棒体４０及び縦棒４２に対応した両端に各々一つの枢軸４４ａが設置されている。二つの枢軸４４ａは、各々縦棒４２と長棒体４０を貫通する。
【００２８】
また、従動ブロック４８の片側に一つの凸棒４８ａを有する。凸棒４８ａは、長棒体４０の一つの結合孔の中まで伸びている。それによって、従動ブロック４８は、間接的に縄体の制御を受け移動する時、長棒体４０を駆動し上下移動させることができ、同時に回転部材４４を揺動させ、さらに外接ブロック４６を動かし回転させることでスラット１０２を転向させるという目的を達成する。
【００２９】
以上に述べたことは、本考案の実施形態に過ぎなく、本考案の範囲を制限するものではない。本考案の明細書及び実用新案登録請求の範囲を応用した全部の等効能の変化は、本考案の実用新案登録請求の範囲内に含まれる。
【符号の説明】
【００３０】
１０  ベース、
１０ａ  ガイド溝、
１０ｂ  長溝孔、
１０ｃ  線状歯車、
１０ｄ  直線レール、
１２  側蓋、
１２ａ  線孔、
１２ｂ  転向輪、
１３  転向ブロック、
１３ａ  転向輪、
１４  位置決め座、
１４ａ  線孔、
１４ｂ  レール、
１６  可動ブロック、
１６ａ  ネジ穴、
１６ｂ  位置決め孔、
１８  ねじ軸、
１８ａ  バックル溝、
２０  Ｃ形バックル、
２２  回転部材、
２４  第一連動部材、
２６  従動ブロック、
２６ａ  小型線状歯車、
２６ｂ  第一凸部、
２８  歯車、
３０  移動ブロック、
３０ａ  第二凸部、
３０ｂ  凸柱、
３２  第二連動部材、
３２ａ  ガイドブロック、
３２ｂ  線溝、
３２ｃ  凸縁、
３２ｄ  平面歯車、
３４  弾性部材、
３６  線状歯車、
３８  縄体、
３８ａ  第一部分、
３８ｂ  第二部分、
３８ｃ  縄部、
４０  長棒体、
４０ａ  結合孔、
４２  縦棒、
４４  回転部材、
４４ａ  枢軸、
４６  外接ブロック、
４８  従動ブロック、
４８ａ  凸棒、
１００  第一窓扉、
１０１  外枠、
１０２  スラット、
２００  第二窓扉、
２０１  外枠、
２０２  スラット、
３００  窓枠。
【図１】
0003202136.tif 000003
【図２】
0003202136.tif 000004
【図３】
0003202136.tif 000005
【図４】
0003202136.tif 000006
【図５】
0003202136.tif 000007
【図６】
0003202136.tif 000008
【図７】
0003202136.tif 000009
【図８】
0003202136.tif 000010
【図９】
0003202136.tif 000011
【図１０】
0003202136.tif 000012
【図１１】
0003202136.tif 000013
【図１２】
0003202136.tif 000014
【図１３】
0003202136.tif 000015
【図１４】
0003202136.tif 000016